【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
ゲームをゲームコンソール上で動作するために必要とされる命令を格納する組込まれたハードディスクメモリと、
該ハードディスクメモリに連結されたプロセッサと、
前記ハードディスクメモリに格納され、前記プロセッサ上で実行されるコンソールアプリケーションと
を備えたことを特徴とするゲームコンソール。
【請求項２】
前記コンソールアプリケーションは、多数の異なるメディアタイプへのアクセスを容易にするためのユーザインタフェースを呈示することを特徴とする請求項１に記載のゲームコンソール。
【請求項３】
前記コンソールアプリケーションは、前記ハードディスクメモリのコンテンツを識別するユーザインタフェースを呈示することを特徴とする請求項１に記載のゲームコンソール。
【請求項４】
前記コンソールアプリケーションはナビゲーション階層を定義し、該ナビゲーション階層は、
対応するメディアタイプについて選択可能な要素を含むメインメニューと、
該メインメニュー内で対応する選択可能な要素を選択した時呈示される多数のコレクションメニューであって、各コレクションメニューは、関連付けられたメディアタイプについて使用可能なコンテンツを識別するコレクションメニューと
を備えたことを特徴とする請求項１に記載のゲームコンソール。
【請求項５】
前記コンソールアプリケーションはユーザインタフェースを呈示し、該ユーザインタフェースは、
異なるメディアタイプを識別するメインメニューと、
プレイするために現在使用可能である１つまたは複数のゲームタイトルを識別するために、前記メインメニューから選択可能なゲームコレクションメニューと、
再生するために現在使用可能である１つまたは複数の音楽タイトルを識別するために、前記メインメニューから選択可能な音楽コレクションメニューと、
再生するために現在使用可能である１つまたは複数の映画タイトルを識別するために、前記メインメニューから選択可能な映画コレクションメニューと
を備えたことを特徴とする請求項１に記載のゲームコンソール。
【請求項６】
前記ユーザインタフェースは、ユーザデータの格納のために使用可能な、前記ハードディスクメモリおよび他のいかなるメモリデバイスをも識別するために、前記メインメニューから選択可能なメモリコレクションメニューをさらに備えたことを特徴とする請求項５に記載のゲームコンソール。
【請求項７】
前記ユーザインタフェースは、選択されたゲームタイトルに関係するオプションを提供するために、前記ゲームコレクションメニューから選択可能なゲームオプションメニューをさらに備えたことを特徴とする請求項５に記載のゲームコンソール。
【請求項８】
前記ユーザインタフェースは、選択された音楽タイトルの再生を容易にするために、前記音楽コレクションメニューから選択可能な音楽プレイヤーメニューをさらに備えたことを特徴とする請求項５に記載のゲームコンソール。
【請求項９】
前記ユーザインタフェースは、選択された映画タイトルの再生を容易にするために、前記映画コレクションメニューから選択可能な映画プレイヤーをさらに備えたことを特徴とする請求項５に記載のゲームコンソール。
【請求項１０】
第１のメディアタイプを格納するポータブルメモリデバイスと通信するように構成され、前記第１のメディアタイプは、ゲームメディア、音楽メディアまたは映画メディアのうちの１つである、ポータブルメモリドライブと、
第２のメディアタイプを格納するように構成され、前記第２のメディアタイプは、ゲームメディア、音楽メディアまたは映画メディアのうちの１つである、メモリと、
前記ポータブルメモリドライブと前記メモリとに連結されたプロセッサと、
前記第１のメディアタイプおよび前記第２のメディアタイプのユーザ選択を容易にするためのユーザインタフェースと
を備えたことを特徴とするゲームコンソール。
【請求項１１】
前記メモリはハードディスクドライブを含むことを特徴とする請求項１０に記載のゲームコンソール。
【請求項１２】
前記メモリはポータブルメモリユニットを含むことを特徴とする請求項１０に記載のゲームコンソール。
【請求項１３】
前記メモリは、前記第１のメディアタイプと前記第２のメディアタイプの両方を格納するように構成されることを特徴とする請求項１０に記載のゲームコンソール。
【請求項１４】
前記第１のメディアタイプおよび前記第２のメディアタイプは、ゲームデータ、オーディオデータおよび映像データを含むメディアタイプのグループから選択されることを特徴とする請求項１０に記載のゲームコンソール。
【請求項１５】
前記ユーザインタフェースは、前記第１のメディアタイプおよび前記第２のメディアタイプを識別するグラフィカルユーザインタフェースを備えたことを特徴とする請求項１０に記載のゲームコンソール。
【請求項１６】
前記ユーザインタフェースは、前記ポータブルメモリドライブおよび前記メモリのコンテンツを識別するグラフィカルユーザインタフェースを備えたことを特徴とする請求項１０に記載のゲームコンソール。
【請求項１７】
前記ユーザインタフェースはグラフィカルユーザインタフェースを含み、該グラフィカルユーザインタフェースは、
前記ゲームメディアタイプ、前記音楽メディアタイプおよび前記映画メディアタイプを識別するメインメニューと、
プレイするために現在使用可能である前記ゲームメディアタイプの１つまたは複数のゲームタイトルを識別するために、前記メインメニューから選択可能なゲームコレクションメニューと、
再生するために現在使用可能である前記音楽メディアタイプの１つまたは複数の音楽タイトルを識別するために、前記メインメニューから選択可能な音楽コレクションメニューと、
再生するために現在使用可能である前記映画メディアタイプの１つまたは複数の映画タイトルを識別するために、前記メインメニューから選択可能な映画コレクションメニューと
を備えたことを特徴とする請求項１０に記載のゲームコンソール。
【請求項１８】
ゲームコンソールによって再生することができる異なるメディアタイプを識別する、前記ゲームコンソールのためのメインメニューを呈示するステップであって、前記メディアタイプはゲームメディアタイプ、音楽メディアタイプおよび映画メディアタイプを含むステップと、
前記ゲームメディアタイプを選択した時、プレイするために現在使用可能である１つまたは複数のゲームタイトルを識別する、ゲームコレクションメニューへナビゲートするステップと、
音楽メディアタイプを選択した時、再生するために現在使用可能である１つまたは複数の音楽タイトルを識別する、音楽コレクションメニューへナビゲートするステップと、
映画メディアタイプを選択した時、再生するために現在使用可能である１つまたは複数の映画タイトルを識別する、映画コレクションメニューへナビゲートするステップと
を備えたことを特徴とする方法。
【請求項１９】
前記ゲームコレクションメニューからゲームタイトルを選択した時、選択されたゲームタイトルをプレイするためのメニューへナビゲートするステップをさらに備えたことを特徴とする請求項１８に記載の方法。
【請求項２０】
前記音楽コレクションメニューから音楽タイトルを選択した時、選択された音楽タイトルを再生するためのメニューへナビゲートするステップをさらに備えたことを特徴とする請求項１８に記載の方法。
【請求項２１】
前記映画コレクションメニューから映画タイトルを選択した時、選択された映画タイトルを再生するためのメニューへナビゲートするステップをさらに備えたことを特徴とする請求項１８に記載の方法。
【請求項２２】
前記ゲームコンソールは１つまたは複数のメモリデバイスを有し、ユーザデータの格納のために使用可能である１つまたは複数のメモリデバイスを識別する、メモリコレクションメニューを呈示するステップをさらに備えたことを特徴とする請求項１８に記載の方法。
【請求項２３】
前記メモリコレクションメニューからメモリデバイスを選択した時、選択されたメモリデバイスのコンテンツを識別するメモリコンテンツメニューへナビゲートするステップをさらに備えたことを特徴とする請求項２２に記載の方法。
【請求項２４】
実行された時、請求項１８に記載の方法を実行する、コンピュータ実行可能命令を備えたことを特徴とする１つまたは複数のコンピュータ読み取り可能な記録媒体。